(57)【要約】      （修正有）【課題】チューナにおいて不使用のアナログ−デジタル変換器を用いて複数種のＩＤを設定し、それらのＩＤによってチューナにおける出荷先ユーザーの指定ができるようにしたテレビジョンチューナを提供する。【解決手段】チューナＩＣ３１における５レベルアナログ−デジタル変換器１６に接続された通常使用されないＡＤＣピンを用いて５レベルアナログ−デジタル変換器１６に異なる５種類の電圧レベル中の１つの電圧レベルを選択し、選択された１つの電圧レベルに対応した３ビットコードを形成し、この３ビットコードをチューナＩＣ３１のＩＤに利用するようにした。【選択図】図２
0003114444.tif 000002
【実用新案登録請求の範囲】
【請求項１】
受信信号を中間周波信号に周波数変換するチューナＩＣと、中間周波信号をトランスポートストリームに変換するデモジュレータＩＣと、トランスポートストリームをデコードしてビデオ信号及びオーディオ信号として出力するデコーダＩＣと、前記デコーダＩＣに接続されたメモリ（ＲＯＭ）とを備え、前記チューナＩＣ、前記デモジュレータＩＣ、前記デコーダＩＣのそれぞれがＩ２Ｃバスにより結合されたテレビジョンチューナであって、前記チューナＩＣは、少なくとも、電圧制御発振器と、ミキサと、ＰＬＬと、中間周波増幅器と、５レベルアナログ−デジタル変換器とを内包し、それらの構成要素に接続された各種のピンが導出されているもので、前記チューナＩＣの５レベルアナログ−デジタル変換器に通常使用されないＡＤＣピンを通して異なる５種類の電圧レベル中の１つの電圧レベルを選択供給してチューナＩＣのＩＤを設定し、設定されたＩＤが前記Ｉ２Ｃバスを通して読み出され、チューナＩＣのＩＤとして利用されることを特徴とするテレビジョンチューナ。
【請求項２】
前記チューナＩＣにおける５レベルアナログ−デジタル変換器への５種類の電圧レベルの中の１つの電圧レベルの選択供給は、ＡＤＣピンに外部接続した出力電圧の調整可能な分圧器の出力電圧によって設定されることを特徴とする請求項１に記載のテレビジョンチューナ。
【請求項３】
前記デコーダＩＣに接続されたメモリ（ＲＯＭ）は、前記テレビジョンチューナの動作をオンオフするスイッチ機能付の動作プログラムを保持し、前記Ｉ２Ｃバスを通して前記チューナＩＣに設定したＩＤを読み出したとき、読み出したＩＤが予め決められたＩＤであったときに前記スイッチ機能がオンに切替り、前記テレビジョンチューナが所定の動作を実行し、一方、読み出したＩＤが予め決められたＩＤでないときに前記スイッチ機能がオフに切替り、前記テレビジョンチューナが所定の動作を実行しないことを特徴とする請求項１もしくは２に記載のテレビジョンチューナ。
【請求項４】
前記テレビジョンチューナの検査時に、前記Ｉ２Ｃバスを通して前記テレビジョンチューナで実施すべき複数種の検査項目を格納している外部制御機器を接続すると、前記外部制御機器は、前記チューナＩＣに設定したＩＤを読み出し、読み出したＩＤに対応する前記複数種の検査項目の中の１つの検査項目を選択設定し、その選択設定した検査項目に基いてテレビジョンチューナの検査が自動的に実行されることを特徴とする請求項１もしくは２に記載のテレビジョンチューナ。
【考案の詳細な説明】
【技術分野】
【０００１】
本考案は、テレビジョンチューナに係り、特に、内部にチューナＩＣを搭載したテレビジョンチューナに関する。
【背景技術】
【０００２】
近年、テレビジョンチューナは、受信した放送信号の処理を行う場合に使用されるＶＨＦ放送信号用電圧制御発振器、ＵＨＦ放送信号用電圧制御発振器、ＶＨＦミキサ、ＵＨＦミキサ、発振周波数制御用ＰＬＬ、中間周波増幅器、ＶＨＦ帯バンド切替回路等の回路部分を集積回路（ＩＣ）内に一体構成したチューナＩＣが用いることが多くなっている。このようなチューナＩＣを用いれば、テレビジョンチューナの構成が全体的に著しく簡素化され、かつ、小型化されたテレビジョンチューナを得ることができるようになる。
【０００３】
一般に、この種のチューナＩＣは、半導体製造メーカーによって提供されるもので、テレビジョンチューナメーカーは、自己のテレビジョンチューナに適合するチューナＩＣを半導体製造メーカーから購入し、購入したチューナＩＣを自己のテレビジョンチューナに搭載するようにしており、テレビジョンチューナメーカー側において、チューナＩＣを設計変更したり、内部の回路構成を大きく変更したりすることはできないのが普通である。
【０００４】
ところで、テレビジョンチューナメーカーが購入したチューナＩＣを自己のテレビジョンチューナに搭載する場合、同じチューナＩＣを搭載したテレビジョンチューナが多くのユーザーに販売されることになる。この場合、多くのユーザーが実質的に同じような環境状態でこれらのテレビジョンチューナを使用するときは何等問題を生じないが、多くのユーザーが実質的に異なる環境状態であるとき、例えば、使用される国や地域が大きく異なったりした場合、テレビジョンチューナメーカーがこのようなテレビジョンチューナを出荷すれば、テレビジョンチューナメーカー内で行われる出荷前処理が異なることが多いため、同じチューナＩＣを搭載したテレビジョンチューナがどこのユーザー向けであるかを見分ける必要がある。
【０００５】
かかるチューナＩＣを識別する場合に、通常、Ｉ２Ｃバスと呼ばれるシリアルバスに設定されているデバイスアドレスが利用される。このデバイスアドレスは、常時有効な１つのアドレスと、その他に３つの設定可能なアドレスとからなっているが、これらのアドレスはＩ２Ｃバスに接続されるデバイスの制御に利用されるだけで、前述のような出荷先のユーザーを指定するためのものではなく、その上、３つのアドレスの設定によって出荷先のユーザーの指定を行うようにしたとしても、３つのアドレスだけでは出荷先のユーザーを指定するには不十分なアドレス数である。
【０００６】
ちなみに、テレビジョンチューナメーカー内で行われる出荷前処理としては、その１つにテレビジョンチューナの検査作業があり、出荷先のユーザーによって異なった検査項目に従ってテレビジョンチューナの検査が行われる。かかる検査項目は、テレビジョンチューナの検査時に検査用測定器を制御する外部機器のメモリに手動操作によって書き込まれ、テレビジョンチューナを検査する際には、このメモリに書き込まれた検査項目に従って順次検査が行われるものである。
【特許文献１】使用する文献なし
【考案の開示】
【考案が解決しようとする課題】
【０００７】
前記既知のテレビジョンチューナは、使用されるチューナＩＣに基いた出荷先ユーザーの指定をすることができないため、テレビジョンチューナの検査時になると、検査用測定器を制御する外部機器のメモリにそのテレビジョンチューナで行うべき検査項目を書き込み、書き込んだ検査項目に従って順次検査作業を行っているもので、メモリへの検査項目の書き込みに手間が掛かるだけでなく、書き込みエラー等が発生する可能性もあった。
【０００８】
この他にも、前記既知のテレビジョンチューナは、チューナＩＣを搭載したテレビジョンチューナを出荷した場合、テレビジョンチューナに保持されている動作プログラムが悪意の第３者等に盗用されると、出荷されたチューナＩＣを搭載したテレビジョンチューナを模倣した模倣品が製造され、その模倣品が市場に出回る可能性があるので、何等かの盗用防止手段を講じる必要性がある。
【０００９】
本考案は、このような技術的背景に鑑みてなされたもので、その第１の目的は、チューナＩＣに設けられた不使用のアナログ−デジタル変換器を用いて複数種のＩＤの中の１つのＩＤを設定し、設定したＩＤによってチューナＩＣを用いたテレビジョンチューナの出荷先ユーザーを指定できるようにしたテレビジョンチューナを提供することにある。
【００１０】
また、本考案の第２の目的は、デコーダＩＣにテレビジョンチューナの動作をオンオフする動作プログラムを保持させ、チューナＩＣに設定したＩＤに対応してテレビジョンチューナの動作不動作を切替え、当該チューナＩＣを搭載したテレビジョンチューナの模倣品が製造されるのを排除したテレビジョンチューナを提供することにある。
【００１１】
さらに、本考案の第３の目的は、チューナＩＣに出荷先のユーザーを指定したＩＤを設定し、設定したＩＤに対応した検査項目の自動設定を行うことにより、検査項目設定作業の簡素化及び検査項目設定ミスの低減化を図ったテレビジョンチューナを提供することにある。
【課題を解決するための手段】
【００１２】
前記第１の目的を達成するために、本考案によるテレビジョンチューナは、受信信号を中間周波信号に周波数変換するチューナＩＣと、中間周波信号をトランスポートストリームに変換するデモジュレータＩＣと、トランスポートストリームをデコードしてビデオ信号及びオーディオ信号として出力するデコーダＩＣと、デコーダＩＣに接続されたメモリとを備え、チューナＩＣ、デモジュレータＩＣ、デコーダＩＣのそれぞれがＩ２Ｃバスにより結合されたものであって、チューナＩＣは、少なくとも、電圧制御発振器と、ミキサと、ＰＬＬと、中間周波増幅器と、５レベルアナログ−デジタル変換器とを内包し、それらの構成要素に接続された各種のピンが導出されているもので、チューナＩＣの５レベルアナログ−デジタル変換器に通常使用されないＡＤＣピンを通して異なる５種類の電圧レベル中の１つの電圧レベルを選択供給してチューナＩＣのＩＤを設定し、設定されたＩＤがＩ２Ｃバスを通して読み出され、チューナＩＣのＩＤとして利用される主たる手段を具備する。
【００１３】
また、前記第１及び第２の目的を達成するために、本考案によるテレビジョンチューナは、前記主たる手段に加え、デコーダＩＣは、テレビジョンチューナの動作をオンオフするスイッチ機能付の動作プログラムを保持し、Ｉ２Ｃバスを通してチューナＩＣに設定したＩＤを読み出したとき、読み出したＩＤが予め決められたＩＤであったときにスイッチ機能がオンに切替り、テレビジョンチューナが所定の動作を実行し、一方、読み出したＩＤが予め決められたＩＤでないときにスイッチ機能がオフに切替り、テレビジョンチューナが所定の動作を実行しない第１の付加手段を具備する。
【００１４】
さらに、前記第１及び第３の目的を達成するために、本考案によるテレビジョンチューナは、前記主たる手段に加え、テレビジョンチューナの検査時に、Ｉ２Ｃバスを通してテレビジョンチューナで実施すべき複数種の検査項目を格納している外部制御機器を接続すると、外部制御機器は、チューナＩＣに設定したＩＤを読み出し、読み出したＩＤに対応する複数種の検査項目の中の１つの検査項目を選択設定し、その選択設定した検査項目に基いてテレビジョンチューナの検査が自動的に実行される第２の付加手段を具備する。
【考案の効果】
【００１５】
以上説明したように、請求項１に記載のテレビジョンチューナによれば、チューナＩＣにおける５レベルアナログ−デジタル変換器（ＡＤＣ）に接続された通常使用されないＡＤＣピンを用いて５レベルアナログ−デジタル変換器（ＡＤＣ）に異なる５種類の電圧レベル中の選択された１つの電圧レベルを選択供給し、供給された１つの電圧レベルに対応した変換ビットコードを当該チューナＩＣのＩＤに設定したもので、それぞれのチューナＩＣに５種類のＩＤの中の選択した１つのＩＤを設定することが可能になり、これら５種類のＩＤをそれぞれのテレビジョンチューナの出荷先ユーザーにそれぞれ割り振れば、チューナＩＣのＩＤを読み出すことにより出荷先ユーザーを認識することができるという主たる効果を得ることができる。
【００１６】
また、請求項３に記載のテレビジョンチューナによれば、前記主たる効果に加えて、デコーダＩＣは、テレビジョンチューナの動作をオンオフするスイッチ機能付の動作プログラムを保持し、Ｉ２Ｃバスを通してチューナＩＣに設定したＩＤを読み出したとき、読み出したＩＤが予め決められたＩＤであったときにスイッチ機能がオンに切替り、テレビジョンチューナが所定の動作を実行し、一方、読み出したＩＤが予め決められたＩＤでないときにスイッチ機能がオフに切替り、テレビジョンチューナが所定の動作を実行しないので、デコーダＩＣに保持された動作プログラムが盗用され、盗用した動作プログラムをデコーダＩＣに保持させたテレビジョンチューナの模倣品を製造しても、その模倣品におけるチューナＩＣに設定されたＩＤが動作プログラムをオンに切替えるものでないケースが多いので、テレビジョンチューナを正常に動作させることができず、そのテレビジョンチューナが市場に出回ることがないので、結果的に、テレビジョンチューナの盗用防止を図れるという効果を得ることができる。
【００１７】
さらに、請求項４に記載のテレビジョンチューナによれば、前記主たる効果に加えて、テレビジョンチューナの検査時に、Ｉ２Ｃバスを通してテレビジョンチューナで実施すべき複数種の検査項目を格納している外部制御機器を接続すると、外部制御機器は、チューナＩＣに設定したＩＤを読み出し、読み出したＩＤに対応する複数種の検査項目の中の１つの検査項目を選択設定し、その選択設定した検査項目に基いてテレビジョンチューナの検査が自動的に実行されるので、それぞれのテレビジョンチューナで実施すべき検査項目が自動選択され、それによりテレビジョンチューナ毎に行われていた検査項目の設定作業が簡素化され、同時に、検査項目を設定する際の操作ミスを大幅に低減することが可能になるという効果を得ることができる。
【考案を実施するための最良の形態】
【００１８】
以下、本考案の実施の形態を図面を参照して説明する。
【００１９】
図１は、本考案によるテレビジョンチューナの要部構成を示すブロック図である。
【００２０】
図１に示されるように、このテレビジョンチューナは、チューナＩＣ３１を搭載した受信部３０と、デモジュレータ（復調器）ＩＣ３２と、ＭＰＥＧデコーダＩＣ３３と、ＲＯＭ３４と、ＲＡＭ３５とからなっている。そして、受信部３０は、信号バス３６（１）とＩ２Ｃバス３７（１）を通してデモジュレータＩＣ３２に結合され、デモジュレータＩＣ３２は、信号バス３６（２）とＩ２Ｃバス３７（２）を通してＭＰＥＧデコーダＩＣ３３に結合され、ＭＰＥＧデコーダＩＣ３３は、制御バス３８（１）を通してＲＯＭ３４に結合され、制御バス３８（２）を通してＲＡＭ３５に結合される。また、ＭＰＥＧデコーダＩＣ３３からは、ビデオ出力３９（１）とオーディオ出力３９（２）がそれぞれ導出される。
【００２１】
この場合、ＭＰＥＧデコーダＩＣ３３は、ＲＯＭ３４に保持されている動作プログラムに従ってデモジュレータＩＣ３２と受信部３０とを制御動作させる。この場合、受信部３０は、ＭＰＥＧデコーダＩＣ３３の制御によってユーザーが選択した周波数チャネルのテレビジョン信号を受信し、その受信信号を中間周波信号（ＩＦ）に周波数変換し、信号バス３６（１）に導出する。デモジュレータＩＣ３２は、入力された中間周波信号（ＩＦ）を復調してトランスポートストリーム（ＴＳ）に変換し、信号バス３６（２）に導出する。ＭＰＥＧデコーダＩＣ３３は、トランスポートストリーム（ＴＳ）をＭＰＥＧデコードし、ビデオ出力３９（１）にビデオ信号を導出し、オーディオ出力３９（２）にオーディオ信号を導出する。
【００２２】
次に、図２は、本考案に用いられるチューナＩＣ３１の内部構成の一例を示す部品配置図であり、図３は、図２に図示されたチューナＩＣ３１の上面図で、チューナＩＣ３１からのピンの導出状態の一例を示すものである。
【００２３】
図２に示されるように、本考案のテレビジョンチューナに搭載されるチューナＩＣ３１は、内部にＶＨＦローチャネル放送信号用電圧制御発振器（ＶＨＦ−Ｌ  ＶＣＯ）１と、ＶＨＦハイチャネル放送信号用電圧制御発振器（ＶＨＦ−Ｈ  ＶＣＯ）２と、ＵＨＦ放送信号用電圧制御発振器（ＵＨＦ  ＶＣＯ）３と、ＶＨＦミキサ（ＶＨＦ  ＭＩＸ）４と、ＵＨＦミキサ（ＵＨＦ  ＭＩＸ）５と、１５ビットカウンタ（ＣＯＵＮＴ）６と、水晶発振器（ＸＴＡＬ  ＯＳＣ）７と、分周器（ＤＩＶ）８と、位相検出器（Ｐ  ＤＥＴ）９と、チャージポンプ（ＣＰ）１０と、同調増幅器（ＴＵＮ  ＡＭＰ）１１と、中間周波増幅器（ＩＦ  ＡＭＰ）１２と、ピークホールド回路（ＰＨ）１３と、高周波ＡＧＣ回路（ＲＦ  ＡＧＣ）１４と、シリアルバスインターフェイス（Ｉ２ＣＢＵＳ  ＩＮＴ）１５と、５レベルアナログ−デジタル変換器（５ＬＥＶ  ＡＤＣ）１６と、テストモード回路（ＴＥＳＴ  ＭＯＤＥ）１７と、トランジスタバンド切替スイッチ（ＴＲ  ＢＳＷ）１８等が配置されている。
【００２４】
この場合、１５ビットカウンタ６と、水晶発振器７と、分周器８と、位相検出器９と、チャージポンプ１０からなる回路部分は、発振周波数制御用ＰＬＬを構成している。そして、これらの構成要素１乃至１８は、図２に図示されるように、チューナＩＣ３１の内部において相互結合されるとともに、対応する１つまたは複数の導出ピンに導電接続されており、それぞれの導出ピンに付されている英表示記号は、それらの導出ピンの機能またはチューナＩＣ３１の内部で接続される構成要素を表している。
【００２５】
また、図３に示されるように、チューナＩＣ３１は、全体が縦長で、平板状の構成を有しているもので、その長手方向の対応する側面部にそれぞれ２４個の導出ピンが導出されている。すなわち、１つの側面部には図示されたピンナンバーとして１から２４までの数字が付された導出ピンが設けられ、他の１つの側面部には図示されたピンナンバーとして２５から４８までの数字が付された導出ピンが設けられている。この場合、図３に図示された導出ピンに付けられた英表示記号は、図２に図示された導出ピンに付けられた英表示記号に対応しており、同じ英表示記号が付された導出ピンは同じ導出ピンを表している。
【００２６】
ところで、前記構成を有するチューナＩＣ３１の５レベルアナログ−デジタル変換器（５ＬＥＶ  ＡＤＣ）１６は、発振周波数制御用ＰＬＬ等がアナログ処理されているとき、周波数制御用として使用されていたが、最近になって発振周波数制御用ＰＬＬ等がデジタル処理されるようになると、使用されなくなってしまい、現在でもチューナＩＣ３１に内包されているものの、不使用状態になっている。そこで、この考案は、使用されていない５レベルアナログ−デジタル変換器１６をチューナＩＣ３１のＩＤを設定するために再使用するようにしたものである。
【００２７】
この再使用の点を具体的に説明すると、５レベルアナログ−デジタル変換器１６に接続されている導出ピン（図２及び図３において、ＡＤＣの英表示記号が付与されている）に可変分圧器を接続し、接続した可変分圧器を調整することにより５レベルアナログ−デジタル変換器１６に５段階に変化するアナログ電圧の中の選択した１つのアナログ電圧を供給し、供給したアナログ電圧の電圧値に応じて、５レベルアナログ−デジタル変換器１６から５種類のデジタル信号列の中のいずれかのデジタル信号列を出力させるようにし、このとき出力されたデジタル信号列を当該チューナＩＣ３１のＩＤとして設定するようにしたものである。なお、このようなチューナＩＣ３１におけるＩＤの設定は、当該チューナＩＣ３１を搭載したテレビジョンチューナを製造している製造元において行われる。
【００２８】
図４は、チューナＩＣ３１のＩＤを設定する際に使用される可変分圧器の構成を示す回路図であって、図４（ａ）は第２乃至第５段階のアナログ電圧が供給されるときの回路状態であり、図４（ｂ）は第１段階のアナログ電圧が供給されるときの回路状態である。なお、図４（ａ）、（ｂ）において、図２に図示された構成要素と同じ構成要素については同じ符号を付けている。
【００２９】
図４（ａ）、（ｂ）に示されるように、可変分圧器１９は、電圧Ｖｃｃを出力する直流電源２０と、第１可変抵抗２１及び第２可変抵抗２２と、電圧出力端子２３とを備えている。そして、可変分圧器１９において、直流電源２０は一端が第１可変抵抗２１の一端に接続され、他端が接地接続されている。第１可変抵抗２１は他端が第２可変抵抗２２の一端と電圧出力端子２３に接続され、第２可変抵抗２２は他端が接地接続されている。この場合、第１可変抵抗２１及び第２可変抵抗２２は、その抵抗値Ｒ１、Ｒ２が段階的に、この場合、５段階に変化するような調整設定できるような構成になっている。
【００３０】
このような出力電圧Ｖｉｎの５段階設定に際して、第１可変抵抗２１及び第２可変抵抗２２の各抵抗値Ｒ１、Ｒ２の変化状態の一例を述べると、出力電圧Ｖｉｎが最小である第１段階の設定時には、第１可変抵抗２１の抵抗値Ｒ１が最大設定値になるように、同時に、第２可変抵抗２２の抵抗値Ｒ２が最小設定値になるようにそれぞれ調整設定し、出力電圧Ｖｉｎが最大である第５段階の設定時には、第１可変抵抗２１の抵抗値Ｒ１が最小になるように、第２可変抵抗２２の抵抗値Ｒ２が最大になるようにそれぞれ調整設定し、さらに、出力電圧Ｖｉｎが中間値となる第３段階の設定時には、第１可変抵抗２１の抵抗値Ｒ１及び第２可変抵抗２２の抵抗値Ｒ２がそれぞれ中間値になるように調整設定する。
【００３１】
そして、出力電圧Ｖｉｎが第５段階と第３段階の中間値となる第４段階の設定時には、第１可変抵抗２１の抵抗値Ｒ１が最小値と中間値のと間の値になるように調整設定し、同時に、第２可変抵抗２２の抵抗値Ｒ２が最大値と中間値のと間の値になるように調整設定するようにし、また、出力電圧Ｖｉｎが第１段階と第３段階の中間値となる第２段階の設定時には、第１可変抵抗２１の抵抗値Ｒ１が最大値と中間値との間の値になるように調整設定し、同時に、第２可変抵抗２２の抵抗値Ｒ２が最小値と中間値との間の値になるように調整設定する。
【００３２】
次いで、図５は、可変分圧器１９の出力電圧Ｖｉｎがそれぞれ第１乃至第５段階に設定された際に、導出ピンＡＤＣに供給される電圧値と、５レベルアナログ−デジタル変換器１５で設定されるチューナＩＣの出荷先を表すＩＤを示すコードとの関係を示す一覧表である。
【００３３】
図４、図５に示されるように、可変分圧器１９の第１可変抵抗２１及び第２可変抵抗２２の抵抗値Ｒ１、Ｒ２をそれぞれ調整設定し、第１段階の出力電圧Ｖｉｎとして０乃至０．１５Ｖｃｃの範囲、例えば０Ｖｃｃが得られるようにすると、５レベルアナログ−デジタル変換器１６は、第１段階の出力電圧Ｖｉｎに応答して、０、０、０の３ビットコードを形成する。また、可変分圧器１９の第１可変抵抗２１及び第２可変抵抗２２の抵抗値Ｒ１、Ｒ２をそれぞれ調整設定し、第２段階の出力電圧Ｖｉｎとして０．１５乃至０．３Ｖｃｃの範囲、例えば０．２５Ｖｃｃが得られるようにすると、５レベルアナログ−デジタル変換器１６は、第２段階の出力電圧Ｖｉｎに応答して、０、０、１の３ビットコードを形成する。
【００３４】
同じように、可変分圧器１９の第１可変抵抗２１及び第２可変抵抗２２の抵抗値Ｒ１、Ｒ２をそれぞれ調整設定し、第３段階の出力電圧Ｖｉｎとして０．３乃至０．４５Ｖｃｃの範囲、例えば０．４Ｖｃｃが得られるようにすると、５レベルアナログ−デジタル変換器１６は、第３段階の出力電圧Ｖｉｎに応答して、０、１、０の３ビットコードを形成する。また、可変分圧器１９の第１可変抵抗２１及び第２可変抵抗２２の抵抗値Ｒ１、Ｒ２をそれぞれ調整設定し、第４段階の出力電圧Ｖｉｎとして０．４５乃至０．６Ｖｃｃの範囲、例えば０．５５Ｖｃｃが得られるようにすると、５レベルアナログ−デジタル変換器１６は、第４段階の出力電圧Ｖｉｎに応答して、０、１、１の３ビットコードを形成する。さらに、可変分圧器１９の第１可変抵抗２１及び第２可変抵抗２２の抵抗値Ｒ１、Ｒ２をそれぞれ調整設定し、第５段階の出力電圧Ｖｉｎとして０．６乃至１Ｖｃｃの範囲、例えば１Ｖｃｃが得られるようにすると、５レベルアナログ−デジタル変換器１６は、第５段階の出力電圧Ｖｉｎに応答して、１、１、１の３ビットコードを形成する。
【００３５】
そして、テレビジョンチューナの製造元は、ＭＰＥＧデコーダＩＣ３３の制御により、チューナＩＣ３１の５レベルアナログ−デジタル変換器１６に選択設定した３ビットコードのＩＤをＩ２Ｃバス３７（１）、３７（２）を通して読み出し、読み出したＩＤの３ビットコードの種別を判別することにより、出荷先ユーザーを認識することが可能になる。
【００３６】
また、このテレビジョンチューナは、保持されている動作プログラムの状態をオンオフさせるスイッチ機能を持っており、動作プログラムがオン状態にあるとき、具体的には、チューナＩＣ３１の５レベルアナログ−デジタル変換器１６に予め決められた３ビットコードのＩＤが設定されているときに、チューナＩＣ３１を動作させる機能、すなわち、テレビジョンチューナを正常に動作させることができる機能を備え、一方、動作プログラムがオフ状態にあるとき、具体的には、チューナＩＣ３１の５レベルアナログ−デジタル変換器１６に予め決められた３ビットコードのＩＤが設定されていないので、チューナＩＣ３１を動作させる機能を発揮させることができず、テレビジョンチューナを正常に動作させることができないようになっている。このような機能は、例えば、テレビジョンチューナに保持されている動作プログラムが悪意の者によって盗用され、この盗用した動作プログラムを保持させたテレビジョンチューナの模倣品を製造したとしても、このテレビジョンチューナの模倣品は、チューナＩＣ３１の５レベルアナログ−デジタル変換器１６に予め決められた３ビットコードのＩＤが設定されていない確率が高く、それによりテレビジョンチューナの模倣品を正常に動作させることができないので、当該テレビジョンチューナが市場に出回ることはなく、結果的に、テレビジョンチューナの模倣品を製造することができず、ひいては動作プログラムの盗用による損害を未然に防ぐことができる。
【００３７】
この場合、テレビジョンチューナを正常に動作させることができる３ビットコードのＩＤとしては、例えば、５つの３ビットコードのＩＤの中の２つのＩＤが設定されているときで、その中の１つのＩＤが設定されておれば、動作プログラムの中の第１のプログラムが実行され、その中のもう１つのＩＤが設定されておれば、動作プログラムの中の第２のプログラムが実行されるものであり、残りの３ビットコードのＩＤが設定されているとき、動作プログラムが実行されない。また、テレビジョンチューナを正常に動作させることができる３ビットコードのＩＤとして、５つの３ビットコードのＩＤの中の１つのＩＤが設定されているときだけ、動作プログラムが実行されるようにしてもよい。
【００３８】
また、チューナＩＣ３１の５レベルアナログ−デジタル変換器１６に設定された３ビットコードのＩＤは、テレビジョンチューナの出荷先ユーザーに対応したテレビジョンチューナの検査項目の自動選択にも利用される。すなわち、テレビジョンチューナを出荷先ユーザーに対応した仕様によって検査する際には、３ビットコードのＩＤの種類に従って必要とされる検査項目が順次自動設定されるので、その自動設定された検査項目に従って検査作業を実行することができるものである。
【００３９】
ここで、図６は、テレビジョンチューナの検査が行われる際の外部機器の接続状態の一例を示すブロック図である。
【００４０】
図６に示されるように、テレビジョンチューナの検査時には、チューナＩＣ３１を内蔵する受信部３０の信号バス３６（１）に検査用治具または測定器４０が接続され、Ｉ２Ｃバス３７（１）にインターフェイス４１を介してパソコン（ＰＣ）等の制御機器４２が接続され、検査用治具または測定器４０と制御機器４２との間もインターフェイス（図６に図示なし）を介して接続されている。なお、制御機器４２の内部メモリまたは制御機器４２に接続された外部メモリには、それぞれのテレビジョンチューナの出荷先ユーザーに対応したテレビジョンチューナの検査項目が予め記憶されている。
【００４１】
このような接続配置になったとき、制御機器４２は、インターフェイス４１及びＩ２Ｃバス３７（１）を通してチューナＩＣ３の５レベルアナログ−デジタル変換器１６に設定された３ビットコードのＩＤを読み出し、読み出した３ビットコードのＩＤに対応したテレビジョンチューナの検査項目を制御機器４２に接続されたメモリから抽出し、抽出したテレビジョンチューナの検査項目を順次検査用治具または測定器４０に供給し、検査用治具または測定器４０が順次供給されるテレビジョンチューナの検査項目に従った検査を実行する。そして、テレビジョンチューナの検査項目に従った検査は、制御機器４２から検査用治具または測定器４０に供給されるテレビジョンチューナの検査項目が終了するまで順次自動的に実行される。このようなテレビジョンチューナの検査を行えば、これまでのようにテレビジョンチューナ毎に行われていた検査項目の設定作業が自動設定によって大幅に簡素化され、同時に、検査項目の設定作業時に発生する操作ミスの発生を大幅に低減することができ、テレビジョンチューナの検査時間を大幅に短縮することができる。
【図面の簡単な説明】
【００４２】
【図１】本考案によるテレビジョンチューナの要部構成を示すブロック図である。
【図２】本考案に用いられるチューナＩＣの内部構成の一例を示す部品配置図である。
【図３】図２に図示されたチューナＩＣの上面図で、チューナＩＣからのピンの導出状態の一例を示すものである。
【図４】チューナＩＣのＩＤを設定する際に使用される可変分圧器の構成を示す回路図である。
【図５】可変分圧器の出力電圧がそれぞれ第１乃至第５段階に設定された際に、導出ピンＡＤＣに供給される電圧値と、５レベルアナログ−デジタル変換器で設定されるチューナＩＣの出荷先を表すＩＤを示すコードとの関係を示す一覧表である。
【図６】テレビジョンチューナの検査が行われる際の外部機器の接続状態の一例を示すブロック図である。
【符号の説明】
【００４３】
１  ＶＨＦローチャネル放送信号用電圧制御発振器（ＶＨＦ−Ｌ  ＶＣＯ）
２  ＶＨＦハイチャネル放送信号用電圧制御発振器（ＶＨＦ−Ｈ  ＶＣＯ）
３  ＵＨＦ放送信号用電圧制御発振器（ＵＨＦ  ＶＣＯ）
４  ＶＨＦミキサ（ＶＨＦ  ＭＩＸ）
５  ＵＨＦミキサ（ＵＨＦ  ＭＩＸ）
６  １５ビットカウンタ（ＣＯＵＮＴ）
７  水晶発振器（ＸＴＡＬ  ＯＳＣ）
８  分周器（ＤＩＶ）
９  位相検出器（Ｐ  ＤＥＴ）
１０  チャージポンプ（ＣＰ）
１１  同調増幅器（ＴＵＮ  ＡＭＰ）
１２  中間周波増幅器（ＩＦ  ＡＭＰ）
１３  ピークホールド回路（ＰＨ）
１４  高周波ＡＧＣ回路（ＲＦ  ＡＧＣ）
１５  シリアルバスインターフェイス（Ｉ２ＣＢＵＳ  ＩＮＴ）
１６  ５レベルアナログ−デジタル変換器（５ＬＥＶ  ＡＤＣ）
１７  テストモード回路（ＴＥＳＴ  ＭＯＤＥ）
１８  トランジスタバンド切替スイッチ（ＴＲ  ＢＳＷ）
１９  可変分圧器
２０  直流電源
２１  第１可変抵抗
２１  第２可変抵抗
２３  電圧出力端子
３０  受信部
３１  チューナＩＣ
３２  デモジュレータＩＣ
３３  ＭＰＥＧデコーダＩＣ
３４  ＲＯＭ
３５  ＲＡＭ
３６（１）、３６（２）  信号バス
３７（１）、３７（２）  Ｉ２Ｃバス
３８（１）、３８（２）  制御バス
３９（１）  ビデオ出力
３９（２）  オーディオ出力
４０  検査用治具または測定器
４１  インターフェイス
４２  制御機器（ＰＣ）
【図１】
0003114444.tif 000003
【図２】
0003114444.tif 000004
【図３】
0003114444.tif 000005
【図４】
0003114444.tif 000006
【図５】
0003114444.tif 000007
【図６】
0003114444.tif 000008